(57)【要約】【課題】特定の周波数を有する声を発生させることによって、家禽類の心身をより安定させリラックスな状態に保たせる。【解決手段】相互に一致する位相を有する１対の第１の基本波と、相互に反転した位相を有する１対の第２の基本波とを生成する基本波生成部と、前記１対の第１の基本波と１対の第２の基本波を時間によって組み合わせて、１対のリラクゼーション波を生成するリラクゼーション波生成部と、前記１対のリラクゼーション波を可聴周波数の音波に変調させて、１対のリラクゼーション音を生成する変調部と、ステレオ音出力が可能なように左右両部分に分けて構成され、前記１対のリラクゼーション音を受信し、各リラクゼーション音を左右両部分に分けて出力するオーディオ出力部と、を備える。【選択図】図１
2005168502.tif 000002
【特許請求の範囲】
【請求項１】
家禽類を安定させる７Ｈｚ乃至１５Ｈｚ周波数を有するアルファ波と同じ周波数範囲を有するリラクゼーション音を生成するリラクゼーション音生成部と、
前記家禽類が聞ける可聴音を生成する可聴音生成部と、
前記リラクゼーション音を前記可聴音に混合して変調する変調部と、
前記変調されたリラクゼーション音を出力するオーディオ出力部と、
を備える、産卵鶏を安定させるためのシステム。
【請求項２】
相互に一致する位相を有する１対の第１の基本波と、相互に反転した位相を有する１対の第２の基本波とを生成する基本波生成部と、
前記１対の第１の基本波と１対の第２の基本波を時間によって組み合わせて、１対のリラクゼーション波を生成するリラクゼーション波生成部と、
前記１対のリラクゼーション波を可聴周波数の音波に変調させて、１対のリラクゼーション音を生成する変調部と、
ステレオ音の出力が可能なように左右両部分に分けて構成され、前記１対のリラクゼーション音を受信し、各リラクゼーション音を左右両部分に分けて出力するオーディオ出力部と、
を備える、産卵鶏を安定させるためのシステム。
【請求項３】
前記リラクゼーション波生成部で組み合わせられる前記１対の第１の基本波と１対の第２の基本波は、時間によってその周波数が変化されることを特徴とする請求項２に記載の産卵鶏を安定させるためのシステム。
【請求項４】
前記リラクゼーション波生成部は、前記１対の第１の基本波と前記１対の第２の基本波を時間によって組み合わせて生成した１対のリラクゼーション波を、５Ｈｚ乃至１５Ｈｚの範囲内で周期的に繰り返し生成することを特徴とする請求項２に記載の産卵鶏を安定させるためのシステム。
【請求項５】
前記オーディオ出力部は、家禽類が前記変調されたリラクゼーション音を聞けるような空間上に配置されたＰＡ（Ｐｕｂｌｉｃ  Ａｄｄｒｅｓｓ）スピーカーであることを特徴とする請求項２乃至４のいずれか１項に記載の産卵鶏を安定させるためのシステム。
【請求項６】
家禽類にリラクゼーション音を聞かせ、家禽類を安定させる方法であって、
前記家禽類を元気つげるために、周波数が時間によって増加するリラクゼーション音を出力する第１の段階と、
前記家禽類が休息を取れるように、周波数が時間によって減少してから増加するリラクゼーション音を出力する第２の段階と、
前記家禽類の睡眠を誘導するために、周波数が時間によって減少するリラクゼーション音を出力する第３の段階と、
を備えることを特徴とする、産卵鶏を安定させるための方法。
【請求項７】
前記第２の段階は、前記周波数が減少と増加を繰り返すことを特徴とする請求項６に記載の産卵鶏を安定させるための方法。
【請求項８】
前記第１の段階は、周波数が１０Ｈｚから１５Ｈｚに次第に増加するリラクゼーション音を出力し、前記第２の段階は、周波数が６Ｈｚ乃至１２Ｈｚの範囲内で増減を周期的に繰り返すリラクゼーション音を出力し、前記第３段階は、周波数が１０Ｈｚから５Ｈｚに次第に減少するリラクゼーション音を出力することを特徴とする請求項６または７に記載の産卵鶏を安定させるための方法。
【請求項９】
前記第１の段階と前記第２の段階との間または前記第２の段階と前記第３の段階との間には、無音が一定時間続くことを特徴とする請求項６または７に記載の産卵鶏を安定させるための方法。
【発明の詳細な説明】
【技術分野】
【０００１】
本発明は、産卵鶏を安定させるためのシステム及び方法に関し、より詳細には、特定の周波数範囲を持つ声を発生させることによって、産卵鶏の心身をより安定させリラックスな状態に保たせるシステム及び方法に関する。特に、本発明は、産卵鶏を飼う農場で生産されるタマゴの品質を向上させ、そのタマゴ生産量を増大させ、産卵鶏の免疫力を強化して産卵鶏の伝染病を予防する、産卵鶏を安定させるためのシステム及び方法に関するものである。
【背景技術】
【０００２】
一般に、産卵鶏飼育のポイントは、生産費を節減しながら良質のタマゴを生産及び販売し高収益を得ることにある。したがって、産卵鶏を飼う畜産農家では、最大の収益を得るべく、産卵率は高め、死廃率は下げるための多角的な努力を傾けてきた。
【０００３】
そういう努力の一環として、産卵鶏農場主は、産卵鶏に、ビタミンと鉱物質などを含む各種の配合飼料を与えている。しかしながら、かかる方法は、せいぜい２％程度の産卵率増加の効果しか得られないの対し、飼料費は大幅に増加する不経済的な方法であった。
【０００４】
産卵鶏は、他の家畜よりもストレスに弱い畜種である。にもかかわらず、最近の産卵鶏管理設備は大規模化、自動化する一方にあり、その分、産卵鶏に加えられるストレスも一層加重してきた。すなわち、鶏は、広い空間で活動する特性を持つ動物であるにもかかわらず、タマゴの大量生産のために、鶏舎などの狭い空間で飼育されるがために、多くストレスを受け、質に劣るタマゴを生むことが多かった。
【０００５】
一方、大部分の動物は、特定の周波数範囲を持つ多種多様な脳波を発生させる。これら脳波は、生理的あるいは精神的状態によって異なる類型を示すものと知られている。その類型は、周波数によって、アルファ（Ａｌｐｈａ）波、ベータ（Ｂｅｔａ）波、デルタ（Ｄｅｌｔａ）波、シータ（Ｔｈｅｔａ）波などに大別される。
【０００６】
なかでも、ベータ波は、１５Ｈｚ乃至４０Ｈｚ帯域の波長を有する脳波であり、人が目覚めたり歩いたり興奮したりする等の日常活動を営む状態で発生する。
【０００７】
アルファ波は、およそ７Ｈｚ乃至１５Ｈｚ帯域の波長を有する脳波であり、人が緊張をほどきリラックスしている状態で発生する。したがって、アルファ波が人の脳波を支配すると、人々は心理的に安定することになる。このアルファ波は、健康で且つストレスのない人々に多く生成される傾向がある。
【０００８】
シータ波は、４Ｈｚ乃至７Ｈｚの波長を有する脳波であり、洞察力またはアイディアに働きかけるなど超能力に関連しているものと知られている。
【０００９】
デルタ波は、４Ｈｚ以下の波長を有する脳波であり、人が寝込んだり無意識の状態にあったりする場合に主として発生し、多量の成長ホルモンを生成するものと知られている。
【００１０】
一般に、人は、気持ちよい自然の声、明るい光、または良い香りなどの環境で心身が安定化されるし、この場合に、人間の脳波もまた安定化し、相対的に周波数の低いアルファ波、シータ波、デルタ波などが発生することになる。
【発明の開示】
【発明が解決しようとする課題】
【００１１】
本発明は、上記事情に鑑みて、特定の周波数を有する声を発生させることによって、産卵鶏の心身をより安定させリラクスな状態に保たせるシステム及び方法を提供することに目的がある。
【００１２】
また、本発明の他の目的は、特定の周波数を有する声を適宜組み合わせることによって、鶏の産卵率を増加させ、死廃率を減少させることにある。
【課題を解決するための手段】
【００１３】
上記の目的を達成すべく、本発明の産卵鶏を安定させるためのシステムは、家禽類を安定させる７Ｈｚ乃至１５Ｈｚ周波数を有するアルファ波と同じ周波数範囲を有するリラクゼーション音を生成するリラクゼーション音生成部と、前記家禽類が聞ける可聴音を生成する可聴音生成部と、前記リラクゼーション音を前記可聴音に混合して変調する変調部と、前記変調されたリラクゼーション音を出力するオーディオ出力部と、を備えることを特徴とする。
【００１４】
また、本発明の産卵鶏を安定させるためのシステムは、相互に一致する位相を有する１対の第１の基本波と、相互に反転した位相を有する１対の第２の基本波とを生成する基本波生成部と、前記１対の第１の基本波と１対の第２の基本波を時間によって組み合わせて、１対のリラクゼーション波を生成するリラクゼーション波生成部と、前記１対のリラクゼーション波を可聴周波数の音波に変調させて、１対のリラクゼーション音を生成する変調部と、ステレオ音出力が可能なように左右両部分に分けて構成され、前記１対のリラクゼーション音を受信し、各リラクゼーション音を左右両部分に分けて出力するオーディオ出力部と、を備えることを特徴とする。
【００１５】
ここで、１対のリラクゼーション波は、５Ｈｚ乃至１５Ｈｚの範囲を有し、時間によってその周波数が変化すると好ましい。より好ましくは、この周波数の変化は、周期的に増減するといい。
【００１６】
また、前記オーディオ出力部は、家禽類が前記変調されたリラクゼーション音を聞けるような空間上に配置されたＰＡ（Ｐｕｂｌｉｃ  Ａｄｄｒｅｓｓ）スピーカーであることが好ましい。
【００１７】
本発明による方法は、家禽類にリラクゼーション音を聞かせ、家禽類を安定させる方法であって、前記家禽類を元気つげるために、周波数が時間によって増加するリラクゼーション音を出力する第１の段階と、前記家禽類が休息を取れるように、周波数が時間によって減少してから増加するリラクゼーション音を出力する第２の段階と、前記家禽類の睡眠を誘導するために、周波数が時間によって減少するリラクゼーション音を出力する第３の段階と、を備えることを特徴とする。
【００１８】
ここで、前記第１の段階は、周波数が１０Ｈｚから１５Ｈｚに次第に増加するリラクゼーション音を出力することが好ましく、前記第２の段階は、周波数が６Ｈｚ乃至１２Ｈｚの範囲内で増減を周期的に繰り返すリラクゼーション音を出力することが好ましく、前記第３段階は、周波数が１０Ｈｚから５Ｈｚに次第に減少するリラクゼーション音を出力することが好ましい。
【００１９】
より好ましくは、前記第１の段階と前記第２の段階との間または前記第２の段階と前記第３段階との間には、無音が一定時間続く。
【発明の効果】
【００２０】
本発明によれば、特定の周波数を有する音を発生させることによって、家禽類の心身をより安定させてリラックスな状態に保たせ、結果として、産卵鶏の産卵性及び卵の品質を高めることが可能になる。
【発明を実施するための最良の形態】
【００２１】
以下、本発明の好ましい実施例について、添付図面を参照しつつ詳細に説明する。ただし、下記の実施例は、本発明の理解を助けるために例示したもので、本発明の権利範囲を限定するためのものではないことに留意されたい。
【００２２】
図１は、本発明による、産卵鶏を安定させるためのシステムを示すブロック図である。図１に示すように、本発明による、産卵鶏を安定させるためのシステムは、制御部１０、入力部２０、表示部３０、基本波生成部４０、リラクゼーション波生成部５０、可聴音格納部６０、変調部７０、増幅部８０及びＰＡスピーカー９０を備える。
【００２３】
制御部１０は、入力部２０から入力した命令に応じて、脳波誘導アルゴリズムを用いて所定の基本波を生成するように、基本波生成部４０に信号を伝送する。また、制御部１０は、基本波生成部４０で生成された基本波を時間によって組み合わせることによって産卵鶏に聞かせる多種多様なリラクゼーション波を生成するように、リラクゼーション波生成部５０に信号を伝送する。また、制御部１０は、リラクゼーション波生成部５０で生成された脳波が、産卵鶏に聞こえるような可聴周波数に変調されるように、変調部７０に信号を伝送する。
【００２４】
入力部２０は、制御部１０の動作に必要な各種の命令が入力される。すなわち、脳波の種類、周波数、及びこの周波数の時間による組み合わせ、格納された自然の声を選択するための命令が、入力部２０から制御部１０に伝達される。
【００２５】
表示部３０は、入力部２０を介して入力する命令を表示し、入力した命令に応じてシステムが実行しているモードを、ＬＣＤモニターなどに表示する。
【００２６】
基本波生成部４０は、産卵鶏に聞かせてくれる基本音波、つまり、基本脳波を生成する。本実施例では、基本波生成部４０で生成された基本波形を、図２ａ及び図２ｂに示すようなパルス波としたが、これに限定されず、サイン波などの様々な形態のものも可能である。パルス波では、ハイ（Ｈｉｇｈ）区間で音を出力し、ロー（Ｌｏｗ）区間では音を出力しない。
【００２７】
図２ａは、基本音波の位相が一致するパルス波を示し、図２ｂは、基本音波の位相が反転されたパルス波を示す。したがって、図２ａの場合にはモノサウンドを出力し、図２ｂの場合にはステレオサウンドを出力することになる。本発明では、Ｔ１，Ｔ２を組み合わせて５Ｈｚ乃至１５Ｈｚ範囲の組み合わせられた波形の周波数を生成する。
【００２８】
リラクゼーション波生成部５０は、基本波生成部４０で生成された各種の基本音（すなわち、相互に異なる周波数を有する複数の音波及び該音波がモノサウンドかステレオサウンドかによって区別される複数の波）を選択し、経時的に組み合わせる。
【００２９】
可聴音格納部６０は、可聴周波数帯域を有する音波を格納する。可聴音格納部６０は、一般的なサイン波などの波形だけでなく、産卵鶏に安定感を与える鳥の声、波の音、川の音、鴎の声などをあらかじめ収集し貯蔵しておくことができる。可聴周波数は、人の場合には約１００Ｈｚ乃至５００Ｈｚが適当であるが、産卵鶏のような家禽類は人と違うため、その種類によって適宜の周波数を選択する必要がある。
【００３０】
変調部７０は、リラクゼーション波生成部５０で生成されたリラクゼーション波の周波数が極めて低いことから産卵鶏にはよく聞こえないため、該周波数の低いリラクゼーション波を可聴周波数に変調する。ここで、可聴音格納部６０に格納されている可聴音の中でいずれか一つが使用される。可聴音としては、数百Ｈｚ範囲の異なる周波数を有するサイン波が好ましいが、これ以外にも多種多様な形態の波形が可能である。可聴音は、自然の声も可能であり、産卵鶏に合う適宜の音を選択するといい。また、可聴音は、サイン波に変調された脳波に、自然の声を混合して使用することも可能である。
【００３１】
増幅部８０は、変調部７０で生成された音波を増幅し、この音波をＰＡスピーカー９０に伝達する役割を担う。
【００３２】
ＰＡスピーカー９０は、広い空間に声を伝達すべく、複数個のスピーカーが空間的に配置されたものである。すなわち、本発明に適用されるＰＡ（Ｐｕｂｌｉｃ  Ａｄｄｒｅｓｓ）スピーカー９０は、産卵鶏が広い養鶏場でリラクゼーション音を聞けるような空間に配置され、複数台のステレオスピーカーから構成される。
【００３３】
次に、本発明で使用されるリラクゼーション波生成部５０の機能及び役割を、図２に示すＴ１，Ｔ２の値の制御と関連付けてより詳細に説明する。
【００３４】
表１に、養鶏場向けの産卵鶏を安定させるためのシステムのタイムスケジュールを示す。
【００３５】
【表１】
2005168502.tif 000003
【００３６】
活力モード、休息モード、睡眠モードなどは、下記の表に示すように、時間によって左右同一の位相を有する波（すなわち、モノモードであって、以下、“Ａ型”という）、あるいは左右反転した位相を有する波（すなわち、ステレオモードであって、以下“Ｂ型”という）を適宜組み合わせたものである。無音は、一定時間に亘って音が出力されないことをいう。
【００３７】
段階１の活力モードは、夜明けに産卵鶏が目覚め、タマゴを産むなどの活動を始めるときに、その活動性を最大限に増大させるためのモードである。活力モードの波形は、表２に示すように、Ａ型とＢ型を適宜組み合わせて構成する。ここで、時間的順序に従う波形の周波数は、約１０Ｈｚから１５Ｈｚまで持続して増加するようにする。このように周波数を増加させることは、周波数が大きいほどより速い音が出力されるためである。この場合に、１３５秒まではモノ音がＰＡスピーカーから出力され、その後から３２７秒まではステレオ音が出力され、その後から３３９秒までは再びモノ音が出力される。
【００３８】
【表２】
2005168502.tif 000004
【００３９】
段階３の休息モードは、鶏が旺盛な生産活動をした後に、充分な休息が取れるようにするモードである。この休息モードでは、表３に示すように、活力モードとは違い、時間的順序に従う波形の周波数が、約１１Ｈｚから６Ｈｚまで減少してから再び１２Ｈｚまで増加する。このように、休息モードでは周波数の減少と増加が数回に亘って周期的に繰り返される。
【００４０】
【表３】
2005168502.tif 000005
【００４１】
段階５の睡眠モードは、鶏が一日の活動を終えた後に、睡眠を取れるように導くモードであって、表４に示すように、周波数が約１０Ｈｚから５Ｈｚに減少するように構成する。周波数の減少につれて、出力される音の速度も相対的に遅くなるため、鶏は、時間の経過とともにより安定した音に露出されることになる。
【００４２】
【表４】
2005168502.tif 000006
【００４３】
上記の実施例によって構成された脳波の組み合わせが鶏に及ぼす影響を調べるために、下記のような試験を施した。
【００４４】
本発明の実施例によって、本発明者らは、産卵鶏を上述のモードを有する脳波音に２ケ月間露出させた後に、３５日間の産卵量を観察した。実施例との比較のために、通常の産卵条件での産卵量を同期間に調べた。この結果を、表５に示す。
【００４５】
上述の如く、本発明の実施例では、リラクゼーション音の周波数を、略５ないし１５Ｈｚの範囲内で時間によって増加させたり減少させたりした。この周波数の範囲は、人を安定させる脳波として知られたアルファ波の周波数範囲の７Ｈｚ乃至１５Ｈｚと略同一である。言い換えれば、本発明の実施例では、リラクゼーション音として生成した周波数の範囲を、アルファ波の周波数範囲に基づいて変化させた。
【００４６】
【表５】
2005168502.tif 000007
【００４７】
全期間の平均産卵率は、比較例１と比較例２とも６６．２％だったのに対し、実施例では７２．１％と約８．９％増加した。特に、午前における本実実施例の産卵率が、比較例のそれと比べて大きく増加したことがわかる。これは、音によって産卵鶏が安定化し、円滑な排卵を誘導し、体内の新陳代謝を促したためであると見られる。
【００４８】
また、本発明の実施例による環境下の産卵鶏は、比較例による環境下の産卵鶏に比べて、非常に安定した状態を保持したし、攻撃性向が極めて少ないことが観察された。
【００４９】
表６は、本発明の実施例と比較例における死廃率及びタマゴ内異物を比較観察したものである。
【００５０】
【表６】
2005168502.tif 000008
【００５１】
（  ）内の値は、比較例に対する実施例の百分率
【００５２】
本発明の実施例は、比較例に比べて産卵鶏の死廃率が７５．８％も大きく減少した。一般に、鶏がストレスを受けることは、攻撃性向によるカニバリズムが主な原因とされているが、本発明の実施例では死廃率が減少し、産卵鶏の攻撃指向が減少したことがわかる。
【００５３】
一方、タマゴの商品性は、主に卵殻と卵白の状態によって左右される。本発明の実施例は、肉班と血班などの異物含有量が、比較例に比べて、全期間に亘って平均６．４％程度減少した。これら肉班と血班は、損なわれた内部組織によるものであって、産卵鶏の健康状態と深く関連している。すなわち、本発明の実施例による環境下での産卵鶏が産んだタマゴにおいて肉班と血班の発生率が低かったのは、鶏の健康状態がより良好であるからと判断される。
【００５４】
異常卵殻率は、卵殻形成の際に代謝作用が円滑に行われないことから発生するものであり、本発明の実施例における異常卵殻率は、比較例のそれに比べて１９．１％程度減少したことがわかる。
【００５５】
以上の如く、本発明による産卵鶏を安定させるためのシステムを使用すると、産卵鶏の産卵率及びタマゴの品質が大幅に向上することがわかった。これは、各種のストレスに露出された鶏を安定させたためである。本発明による産卵鶏を安定させるためのシステムは、産卵鶏のほかに、各種の家禽類にも適用可能である。また、本発明のシステムは、周波数範囲を調節することで、他の家畜にも適用することができる。
【００５６】
以上では、本発明を具体例に上げて説明したが、この具体例によって本発明が限定されてはいけなく、本発明の技術的思想を外れない限り、各種の改良及び変更が可能であることは、当該技術分野で通常の知識を持つ者にとって明らかである。したがって、本発明の範囲は、特許請求の範囲及び該範囲と均等なものによって定められるべきである。
【図面の簡単な説明】
【００５７】
【図１】本発明による産卵鶏を安定させるためのシステムのブロック図である。
【図２ａ】本発明によるモノモードの基本パルス波を示す図である。
【図２ｂ】本発明によるステレオモードの基本パルス波を示す図である。
【符号の説明】
【００５８】
１０  制御部
２０  入力部
３０  表示部
４０  基本波生成部
５０  リラクゼーション波生成部
６０  可聴音格納部
７０  変調部
８０  増幅部
９０  ＰＡスピーカー
【図１】
2005168502.tif 000009
【図２ａ】
2005168502.tif 000010
【図２ｂ】
2005168502.tif 000011